【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
所定間隔をあけて対向する第１及び第２の平面部と、上記第１及び第２の平面部をつなぐ側壁とを含むケースを有し、
上記ケースが、情報を記録するディスクを回転可能に収納し、そこを通して上記ディスクを挿入又は取り出しでき、上記側壁の一つに形成された開口部を備えており、
上記ケースに備えられ、上記開口部を開閉する蓋を有するディスクカートリッジにおいて、
上記蓋を閉じたときに上記蓋の外側の面が、上記ケースの上記開口部を備えた側壁の外側の面よりも内側になるように形成されたことを特徴とするディスクカートリッジ。
【請求項２】
上記第１及び第２の平面部に対して平行な平面内で回転できるように上記蓋を支持する支持手段と、
上記蓋を閉じたときに上記蓋の一部を上記ケースの一部に係合させる係合手段とを有し、
上記係合手段が、
上記ケースに形成された凹部と、
上記蓋に備えられ、上記蓋を閉じたときに上記凹部に係合する凸部とを有する
ことを特徴とする請求項１に記載のディスクカートリッジ。
【請求項３】
上記第１の平面部と同じ平面内に延びる軸線を中心にして外側に回転させて開くことができるように上記蓋を上記第１の平面部に支持する支持手段と、
上記蓋を閉じたときに上記蓋の一部を上記ケースの一部に係合させる係合手段とを有し、
上記係合手段が、
上記第２の平面部に形成された切欠き部と、
上記蓋に形成され、上記蓋を閉じたときに上記切欠き部に係合するフック部とを有する
ことを特徴とする請求項１に記載のディスクカートリッジ。
【請求項４】
上記ケースが上記蓋を係合させる案内溝を有し、
上記蓋を上記案内溝に沿ってスライドさせることによって上記開口部を開閉することを特徴とする請求項１に記載のディスクカートリッジ。
【請求項５】
上記蓋に、上記蓋を開いたときに上記ケースに係合する突起部を備えたことを特徴とする請求項４に記載のディスクカートリッジ。
【請求項６】
上記蓋に、上記蓋を閉じたときに上記ケースに係合する突起部を備えたことを特徴とする請求項４又は５のいずれかに記載のディスクカートリッジ。
【請求項７】
所定間隔をあけて対向する第１及び第２の平面部と、上記第１及び第２の平面部をつなぐ側壁とを含むケースを有し、
上記ケースが、情報を記録するディスクを回転可能に収納し、そこを通して上記ディスクを挿入又は取り出しでき、側壁の一つに形成された開口部とを備えており、
上記ケースに備えられ、上記開口部を開閉する蓋を有するディスクカートリッジにおいて、
上記開口部を備えた上記側壁に平行な上記蓋の外側の面に形成され、互いに同じ高さを持つ少なくとも２つの突出部を有することを特徴とするディスクカートリッジ。
【請求項８】
所定間隔をあけて対向する第１及び第２の平面部と、上記第１及び第２の平面部をつなぐ側壁とを含むケースを有し、
上記ケースは、情報記録面の外周近傍に環状の第１の突出部を備えたディスクを回転可能に収納するディスクカートリッジにおいて、
上記第１及び第２の平面部の内面の少なくとも一方であって、上記第１の突出部に対向する面に、上記第１の突出部に当接するように形成された第２の突出部を備えたことを特徴とするディスクカートリッジ。
【請求項９】
上記第２の突出部が上記ディスクの直径以上の長さを持ち、直線状に延びていることを特徴とする請求項８に記載のディスクカートリッジ。
【請求項１０】
所定間隔をあけて対向する第１及び第２の平面部と、上記第１及び第２の平面部をつなぐ側壁とを含むケースを有し、
上記ケースが、情報を記録するディスクを回転可能に収納し、そこを通して上記ディスクを挿入又は取り出しでき、上記側壁の一つに形成された開口部を備えており、
上記ケースに備えられ、上記開口部を開閉する蓋を有するディスクカートリッジにおいて、
上記第１及び第２の平面部の内面の少なくとも一方であって、上記ディスクの情報記録面側に、上記ディスクを上記ケースに挿入するとき又は上記ケースから取り出すときに上記ディスクの表面に接触するクリーニング部材を有することを特徴とするディスクカートリッジ。
【請求項１１】
上記クリーニング部材がブラシであることを特徴とする請求項１０に記載のディスクカートリッジ。
【請求項１２】
所定間隔をあけて対向する第１及び第２の平面部と、上記第１及び第２の平面部をつなぐ側壁とを含むケースを有し、
上記ケースが、情報を記録するディスクを回転可能に収納し、そこを通して上記ディスクを挿入又は取り出しでき、上記側壁の一つに形成された開口部を備えており、
上記第１及び第２の平面部に対して平行な平面内で回転できるように上記蓋を支持する支持手段を有するディスクカートリッジにおいて、
上記蓋の内側に上記ディスクの外周を差し込むことができる保持溝を有することを特徴とするディスクカートリッジ。
【請求項１３】
所定間隔をあけて対向する第１及び第２の平面部と、上記第１及び第２の平面部をつなぐ側壁とを含むケースを有し、
上記ケースは、情報を記録するディスクを回転可能に収納し、そこを通して上記ディスクを挿入又は取出しでき、上記側壁の一つに形成された開口部を備え、
上記ケースに備えられ、上記開口部を開閉する蓋を有するディスクカートリッジにおいて、
上記第２の平面部に形成された透孔と、
上記ケースの内側に突起し、上記透孔よりも小径である突起片と、
上記蓋に備えられ、上記蓋が閉じているときに上記突起片に係合し、上記蓋を開けたときに上記突起片を切断して、上記突起片を上記透孔を通して上記ケースの外側に排出させる凹部と、
を有することを特徴とするディスクカートリッジ。
【請求項１４】
所定間隔をあけて対向する第１及び第２の平面部と、上記第１及び第２の平面部をつなぐ側壁とを含むケースを有し、
上記ケースは、情報を記録するディスクを回転可能に収納し、そこを通して上記ディスクを挿入又は取出しでき、上記側壁の一つに形成された開口部を備えており、
上記ケースに備えられ、上記開口部を開閉する蓋を有するディスクカートリッジにおいて、
上記第１及び第２の平面部の少なくとも一方の内側に突出し、上記開口部の厚さを上記ディスクを挿入又は排出可能な範囲内で上記ディスクの厚さとほぼ同じにする挿入制限部を有することを特徴とするディスクカートリッジ。
【手続補正２】
【補正対象書類名】明細書
【補正対象項目名】００１９
【補正方法】変更
【補正の内容】
【００１９】
また、請求項２のディスクカートリッジは、請求項１のディスクカートリッジにおいて、上記第１及び第２の平面部に対して平行な平面内で回転できるように上記蓋を支持する支持手段と、上記蓋を閉じたときに上記蓋の一部を上記ケースの一部に係合させる係合手段とを有し、上記係合手段が、上記ケースに形成された凹部と、上記蓋に備えられ、上記蓋を閉じたときに上記凹部に係合する凸部とを有することを特徴としている。


【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
また、請求項３のディスクカートリッジは、請求項１のディスクカートリッジにおいて、上記第１の平面部と同じ平面内に延びる軸線を中心にして外側に回転させて開くことができるように上記蓋を上記第１の平面部に支持する支持手段と、上記蓋を閉じたときに上記蓋の一部を上記ケースの一部に係合させる係合手段とを有し、上記係合手段が、上記第２の平面部に形成された切欠き部と、上記蓋に形成され、上記蓋を閉じたときに上記切欠き部に係合するフック部とを有することを特徴としている。


【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】変更
【補正の内容】
【００２３】
また、請求項４のディスクカートリッジは、請求項１のディスクカートリッジにおいて、上記ケースが上記蓋を係合させる案内溝を有し、上記蓋を上記案内溝に沿ってスライドさせることによって上記開口部を開閉することを特徴としている。


【手続補正７】
【補正対象書類名】明細書
【補正対象項目名】００２４
【補正方法】変更
【補正の内容】
【００２４】
また、請求項５のディスクカートリッジは、請求項４のディスクカートリッジにおいて、上記蓋に、上記蓋を開いたときに上記ケースに係合する突起部を備えたことを特徴としている。


【手続補正８】
【補正対象書類名】明細書
【補正対象項目名】００２５
【補正方法】変更
【補正の内容】
【００２５】
また、請求項６のディスクカートリッジは、請求項４又は５のディスクカートリッジにおいて、上記蓋に、上記蓋を閉じたときに上記ケースに係合する突起部を備えたことを特徴としている。


【手続補正９】
【補正対象書類名】明細書
【補正対象項目名】００２６
【補正方法】変更
【補正の内容】
【００２６】
また、請求項７のディスクカートリッジは、所定間隔をあけて対向する第１及び第２の平面部と、上記第１及び第２の平面部をつなぐ側壁とを含むケースを有し、上記ケースが、情報を記録するディスクを回転可能に収納し、そこを通して上記ディスクを挿入又は取り出しでき、側壁の一つに形成された開口部とを備えており、上記ケースに備えられ、上記開口部を開閉する蓋を有し、上記開口部を備えた上記側壁に平行な上記蓋の外側の面に形成され、互いに同じ高さを持つ少なくとも２つの突出部を有することを特徴としている。


【手続補正１０】
【補正対象書類名】明細書
【補正対象項目名】００２７
【補正方法】変更
【補正の内容】
【００２７】
また、請求項８のディスクカートリッジは、所定間隔をあけて対向する第１及び第２の平面部と、上記第１及び第２の平面部をつなぐ側壁とを含むケースを有し、上記ケースは、情報記録面の外周近傍に環状の第１の突出部を備えたディスクを回転可能に収納するディスクカートリッジにおいて、上記第１及び第２の平面部の内面の少なくとも一方であって、上記第１の突出部に対向する面に、上記第１の突出部に当接するように形成された第２の突出部を備えたことを特徴としている。


【手続補正１１】
【補正対象書類名】明細書
【補正対象項目名】００２８
【補正方法】変更
【補正の内容】
【００２８】
また、請求項９のディスクカートリッジは、請求項８のディスクカートリッジにおいて、上記第２の突出部が上記ディスクの直径以上の長さを持ち、直線状に延びていることを特徴としている。


【手続補正１２】
【補正対象書類名】明細書
【補正対象項目名】００２９
【補正方法】変更
【補正の内容】
【００２９】
また、請求項１０のディスクカートリッジは、所定間隔をあけて対向する第１及び第２の平面部と、上記第１及び第２の平面部をつなぐ側壁とを含むケースを有し、上記ケースが、情報を記録するディスクを回転可能に収納し、そこを通して上記ディスクを挿入又は取り出しでき、上記側壁の一つに形成された開口部を備えており、上記ケースに備えられ、上記開口部を開閉する蓋を有し、上記第１及び第２の平面部の内面の少なくとも一方であって、上記ディスクの情報記録面側に、上記ディスクを上記ケースに挿入するとき又は上記ケースから取り出すときに上記ディスクの表面に接触するクリーニング部材を有することを特徴としている。


【手続補正１３】
【補正対象書類名】明細書
【補正対象項目名】００３０
【補正方法】変更
【補正の内容】
【００３０】
また、請求項１１のディスクカートリッジは、請求項１０のディスクカートリッジにおいて、上記クリーニング部材がブラシであることを特徴としている。


【手続補正１４】
【補正対象書類名】明細書
【補正対象項目名】００３１
【補正方法】変更
【補正の内容】
【００３１】
また、請求項１２のディスクカートリッジは、所定間隔をあけて対向する第１及び第２の平面部と、上記第１及び第２の平面部をつなぐ側壁とを含むケースを有し、上記ケースが、情報を記録するディスクを回転可能に収納し、そこを通して上記ディスクを挿入又は取り出しでき、上記側壁の一つに形成された開口部を備えており、上記第１及び第２の平面部に対して平行な平面内で回転できるように上記蓋を支持する支持手段を有し、上記蓋の内側に上記ディスクの外周を差し込むことができる保持溝を有することを特徴としている。


【手続補正１５】
【補正対象書類名】明細書
【補正対象項目名】００３２
【補正方法】変更
【補正の内容】
【００３２】
また、請求項１３のディスクカートリッジは、所定間隔をあけて対向する第１及び第２の平面部と、上記第１及び第２の平面部をつなぐ側壁とを含むケースを有し、上記ケースは、情報を記録するディスクを回転可能に収納し、そこを通して上記ディスクを挿入又は取出しでき、上記側壁の一つに形成された開口部を備え、上記ケースに備えられ、上記開口部を開閉する蓋を有し、上記第２の平面部に形成された透孔と、上記ケースの内側に突起し、上記透孔よりも小径である突起片と、上記蓋に備えられ、上記蓋が閉じているときに上記突起片に係合し、上記蓋を開けたときに上記突起片を切断して、上記突起片を上記透孔を通して上記ケースの外側に排出させる凹部とを有することを特徴としている。


【手続補正１６】
【補正対象書類名】明細書
【補正対象項目名】００３３
【補正方法】変更
【補正の内容】
【００３３】
また、請求項１４のディスクカートリッジは、所定間隔をあけて対向する第１及び第２の平面部と、上記第１及び第２の平面部をつなぐ側壁とを含むケースを有し、上記ケースは、情報を記録するディスクを回転可能に収納し、そこを通して上記ディスクを挿入又は取出しでき、上記側壁の一つに形成された開口部を備えており、上記ケースに備えられ、上記開口部を開閉する蓋を有し、上記第１及び第２の平面部の少なくとも一方の内側に突出し、上記開口部の厚さを上記ディスクを挿入又は排出可能な範囲内で上記ディスクの厚さとほぼ同じにする挿入制限部を有することを特徴としている。


【手続補正１７】
【補正対象書類名】明細書
【補正対象項目名】０１１３
【補正方法】変更
【補正の内容】
【０１１３】
また、請求項２の発明によれば、係合手段が、ケースに形成された凹部と、蓋を閉じたときにケースの凹部に係合する凸部とから構成されており、構成を簡素にでいるという効果がある。


【手続補正１８】
【補正対象書類名】明細書
【補正対象項目名】０１１４
【補正方法】変更
【補正の内容】
【０１１４】
また、請求項３の発明によれば、第１の平面部と同じ平面内に延びる軸線を中心にして外側に回転させて開くことができるようにしているので、ケースの開口部が大きく、ディスクをディスクカートリッジの斜め上から挿入又は斜め上に向けて取り出すことができ、ディスクの着脱が容易になり、また、ディスクを取り出す際に上側部材及び下側部材の端面と接触して、ディスクの信号面に傷が付くことを防止できるという効果が得られる。


【手続補正１９】
【補正対象書類名】明細書
【補正対象項目名】０１１５
【補正方法】変更
【補正の内容】
【０１１５】
また、請求項３の発明によれば、係合手段が、第２の平面部に形成された切欠き部と、蓋を閉じたときに切欠き部に係合するフック部とから構成されており、構成を簡素にでいるという効果がある。


【手続補正２０】
【補正対象書類名】明細書
【補正対象項目名】０１１６
【補正方法】変更
【補正の内容】
【０１１６】
また、請求項４の発明によれば、蓋を案内溝に沿ってスライドさせることによって開口部を開閉するので、ケースの開口部を大きく、ディスクをディスクカートリッジの斜め上から挿入又は斜め上に向けて取り出すことができ、ディスクの着脱が容易になり、また、ディスクを取り出す際に上側部材及び下側部材の端面と接触して、ディスクの信号面に傷が付くことを防止できるという効果が得られる。


【手続補正２１】
【補正対象書類名】明細書
【補正対象項目名】０１１７
【補正方法】変更
【補正の内容】
【０１１７】
また、請求項５の発明によれば、蓋を開いたときにケースに係合する突起部を備えたので、蓋を開けたままの状態に保持することができ、ディスクの挿入や取出しが容易になるという効果が得られる。


【手続補正２２】
【補正対象書類名】明細書
【補正対象項目名】０１１８
【補正方法】変更
【補正の内容】
【０１１８】
また、請求項６の発明によれば、蓋を閉じたときにケースに係合する突起部を備えたので、蓋を閉じたままの状態に保持することができ、ディスクが不用意に飛び出すことを防止できるという効果が得られる。


【手続補正２３】
【補正対象書類名】明細書
【補正対象項目名】０１１９
【補正方法】変更
【補正の内容】
【０１１９】
また、請求項７の発明によれば、蓋の外側の面に形成され、互いに同じ高さを持つ少なくとも２つの突出部を有するので、突出部の位置関係が一定に保たれ、突出部で形成される面の精度も初期状態のまま良好に保たれる。そのため、この面をハンド部で押すことによって、ディスクカートリッジを正常に記録再生装置に挿入することができるという効果が得られる。


【手続補正２４】
【補正対象書類名】明細書
【補正対象項目名】０１２０
【補正方法】変更
【補正の内容】
【０１２０】
また、請求項８の発明によれば、第１及び第２の平面部の内面の少なくとも一方であって、第１の突出部に対向する面に、第１の突出部に当接するように形成された第２の突出部を備えたので、ディスクの情報記録面にケースの内面が接触することはなく、ディスクの情報記録面に傷を付けることを防止できるという効果が得られる。


【手続補正２５】
【補正対象書類名】明細書
【補正対象項目名】０１２１
【補正方法】変更
【補正の内容】
【０１２１】
また、請求項９の発明によれば、上記第２の突出部がディスクの直径以上の長さを持ち、直線状に延びているので、ディスクの情報記録面にケースの内面が接触することはなく、ディスクの情報記録面に傷を付けることを防止できるという効果が得られる。


【手続補正２６】
【補正対象書類名】明細書
【補正対象項目名】０１２２
【補正方法】変更
【補正の内容】
【０１２２】
また、請求項１０の発明によれば、ディスクの情報記録面側に、ディスクをケースに挿入するとき又はケースから取り出すときにディスクの表面に接触するクリーニング部材を備えたので、ディスクの情報記録面に付着した汚れを除去することができ、情報記録面に記録されている情報を読み取る際のエラーを少なくすることができるという効果が得られる。


【手続補正２７】
【補正対象書類名】明細書
【補正対象項目名】０１２３
【補正方法】変更
【補正の内容】
【０１２３】
また、請求項１１の発明によれば、クリーニング部材をブラシとしたので、ディスクの情報記録面に付着したほこりを効果的に除去することができ、情報記録面に記録されている情報を読み取る際のエラーを少なくすることができるという効果が得られる。


【手続補正２８】
【補正対象書類名】明細書
【補正対象項目名】０１２４
【補正方法】変更
【補正の内容】
【０１２４】
また、請求項１２の発明によれば、第１及び第２の平面部に対して平行な平面内で回転できるように蓋を支持し、蓋の内側にディスクの外周を差し込むことができる保持溝を有するので、ディスクをケースに収納する作業の途中でディスクが脱落することを防止でき、また、ディスクの情報記録面がケースの内面と接触することもなく、さらに、ディスクを手で持つことによって情報記録面に手の脂が付着することもなくなるので、情報を記録できなくなったり、情報記録面に記録されている情報を読みとることができなくなるといった不具合を防止することができるという効果が得られる。


【手続補正２９】
【補正対象書類名】明細書
【補正対象項目名】０１２５
【補正方法】変更
【補正の内容】
【０１２５】
また、請求項１３の発明によれば、第２の平面部に形成された透孔と、ケースの内側に突起し、透孔よりも小径である突起片と、蓋が閉じているときに突起片に係合し、蓋を開けたときに突起片を切断して、ケースの外側に排出させるように構成したので、フォーマット検証の要否判断は、記録再生装置にディスクカートリッジが装填されてすぐに行われるので、記録開始までに要する時間を短縮でいるという効果が得られる。


【手続補正３０】
【補正対象書類名】明細書
【補正対象項目名】０１２６
【補正方法】変更
【補正の内容】
【０１２６】
また、請求項１４の発明によれば、第１及び第２の平面部の少なくとも一方の内側に突出し、開口部の厚さをディスクを挿入又は排出可能な範囲内でディスクの厚さとほぼ同じにする挿入制限部を備えたので、カートリッジ内に挿入されるおそれのある異物（例えば、他の種類のディスク）の挿入を防止することができるという効果が得られる。